(57)【要約】【課題】装置のコストダウンに寄与するとともに、簡単にフリッカが最小となる共通電極電位を求める。【解決手段】可視光センサ１２は、ＥＶＲ１１で変化させた共通電極電位の値毎に、ＬＣＤ１０の表示画面に映し出される格子画像の明るさを複数回検出する。演算装置１３は、可視光センサ１２で複数回検出した格子画像の明るさのデータからフリッカ量Ｄｘ  を求める。演算装置１３は、ＥＶＲ１１の値０として検出を開始させ、共通電極電位の値毎にこの演算を行い、直前に求めたフリッカ量Ｄｘ−１  と、Ｄｘ  とを比較し、Ｄｘ  ＞Ｄｘ−１  となったときのＤｘ−１  をフリッカ量の最小値Ｄｘｍｉｎとし、Ｄｘ  ＞Ｄｘ−１  となった時点で可視光センサ１２による検出を終了させる。【選択図】        図１
2004191588.tif 000002
【特許請求の範囲】
【請求項１】
液晶表示器のフリッカを最小とするために、液晶表示器の共通電極電位を調整する装置において、
前記共通電極電位の値を一定間隔で変化させる電位値調節手段と、変化させた共通電極電位の値毎に、前記液晶表示器の表示画面に映し出される画像の明るさを複数回検出する可視光センサと、複数回検出した明るさのデータからフリッカ量を求める演算手段とからなり、フリッカ量が最小となった時点で可視光センサによる検出を終了させることを特徴とする液晶表示器の共通電極電位調整装置。
【請求項２】
前記演算手段は、前記複数回検出した明るさのデータの平均値をＤａｖｅ  、最大値をＤｍａｘ  、最小値をＤｍｉｎ  として、
Ｄｘ  ＝（Ｄｍａｘ  −Ｄｍｉｎ  ）／Ｄａｖｅ  
で表される演算を行ってフリッカ量Ｄｘ  を求めることを特徴とする請求項１に記載の液晶表示器の共通電極電位調整装置。
【発明の詳細な説明】
【０００１】
【発明の属する技術分野】
本発明は、液晶表示器のフリッカを最小とするために、液晶表示器の共通電極電位を調整する装置に関する。
【０００２】
【従来の技術】
ＣＣＤイメージセンサなどで撮像した被写体画像をデジタルの画像データに変換し、内部メモリやメモリカードなどの記憶媒体に保存するデジタルカメラが普及している。現在市販されているデジタルカメラには、画像を表示する液晶表示器が設けられており、撮影した画像をその場で鑑賞することができる。
【０００３】
デジタルカメラを出荷する際には、液晶表示器の画面がチラつくいわゆるフリッカが最小となるように、液晶表示器の共通電極電位の調整を行っている。この共通電極電位の調整とは、液晶表示器の液晶パネルを挟む２つの電極に印加される２つの電圧の、基準値に対する振れ量（直流成分）を調整するものである。
【０００４】
従来、共通電極電位の調整は、液晶表示器の表示画面に白ラスターなどの画像を映し出し、フリッカを目視によって判定していた。しかしながら、目視による判定は、フリッカが最小となる共通電極電位の値付近で、フリッカの変化量が非常に小さくなるため、正確な調整が困難であった。また、作業者の体調などによりばらつきが生じるため、精度が低いものであった。
【０００５】
上記問題点を解決するために、フリッカを電気信号に変換する光電変換素子と、フリッカの信号成分のみを取り出すフィルタ回路とを用い、共通電極電位の値を０〜２５５まで２５６段階変化させ、この共通電極電位の値と、フリッカの信号成分をデジタル変換した値とから、最小２乗法によりフリッカが最小となる共通電極電位を求める装置が提案されている（特許文献１参照）。
【０００６】
【特許文献１】
特開平９−１６８１２８号公報
【０００７】
【発明が解決しようとする課題】
しかしながら、特許文献１に記載される装置では、フリッカを検出するために光電変換素子やフィルタ回路などの特別な素子を必要とするため、装置コストが嵩むという問題があった。また、最小２乗法によりフリッカが最小となる共通電極電位を求めているため、演算ロジックが複雑であり、２５６段階全ての範囲を検出しなければならなかった。
【０００８】
本発明は、装置のコストダウンに寄与するとともに、簡単にフリッカが最小となる共通電極電位を求めることができる液晶表示器の共通電極電位調整装置を提供することを目的とする。
【０００９】
【課題を解決するための手段】
上記目的を達成するために、本発明は、液晶表示器のフリッカを最小とするために、液晶表示器の共通電極電位を調整する装置において、前記共通電極電位の値を一定間隔で変化させる電位値調節手段と、変化させた共通電極電位の値毎に、前記液晶表示器の表示画面に映し出される画像の明るさを複数回検出する可視光センサと、複数回検出した明るさのデータからフリッカ量を求める演算手段とからなり、フリッカ量が最小となった時点で可視光センサによる検出を終了させることを特徴とする。
【００１０】
なお、前記演算手段は、前記複数回検出した明るさのデータの平均値をＤａｖｅ  、最大値をＤｍａｘ  、最小値をＤｍｉｎ  として、Ｄｘ  ＝（Ｄｍａｘ  −Ｄｍｉｎ  ）／Ｄａｖｅ  で表される演算を行ってフリッカ量Ｄｘ  を求める。
【００１１】
【発明の実施の形態】
図１に、本発明の共通電極電位調整装置の概略構成を示す。共通電極電位調整装置２は、液晶表示器（ＬＣＤ）１０のフリッカを最小とするために、液晶表示器１０の共通電極電位を調整するものであり、電子ボリューム（ＥＶＲ）１１と、可視光センサ１２と、演算装置１３とから構成される。なお、共通電極電位調整装置２は、電子機器、例えばデジタルカメラやビデオカメラ、携帯電話などに搭載される液晶表示器、パーソナルコンピュータや車載用カーナビゲーションシステムの液晶ディスプレイなどを出荷する際に用いられる。
【００１２】
ＬＣＤ１０は、演算装置１３に接続されている。ＬＣＤ１０の表示画面には、フリッカが顕著に観察される格子画像が映し出される。ＥＶＲ１１は、演算装置１３により制御され、ＬＣＤ１０の共通電極電位の値を、例えば０〜２５５の２５６段階で変化させる。
【００１３】
図２に示すように、可視光センサ１２は、ＥＶＲ１１で変化させた共通電極電位の値毎に、ＬＣＤ１０の表示画面に映し出される格子画像の明るさを複数回（例えば１０回）検出し、この検出信号を演算装置１３に送信する。
【００１４】
演算装置１３は、可視光センサ１２から送信される明るさのデータと、そのときの共通電極電位の値とを対応させて内蔵メモリ（図示せず）に格納する。そして、可視光センサ１２で複数回検出した格子画像の明るさのデータから、以下に示す式（１）を用いてフリッカ量Ｄｘ  を求める。すなわち、複数回検出した明るさのデータの平均値をＤａｖｅ  、最大値をＤｍａｘ  、最小値をＤｍｉｎ  として、
Ｄｘ  ＝（Ｄｍａｘ  −Ｄｍｉｎ  ）／Ｄａｖｅ                          ・・・（１）
【００１５】
上記式（１）で求めたフリッカ量Ｄｘ  と、共通電極電位の値との関係をグラフに表すと、図３に示すようになる。演算装置１３は、ＥＶＲ１１の値０として検出を開始させ、共通電極電位の値毎にこの演算を行い、直前に求めたフリッカ量Ｄｘ−１  と、Ｄｘ  とを比較し、Ｄｘ  ＞Ｄｘ−１  となったときのＤｘ−１  をフリッカ量の最小値Ｄｘｍｉｎとする。そして、Ｄｘ  ＞Ｄｘ−１  となった時点で可視光センサ１２による検出を終了させる。なお、ここでフリッカが最小であるということは、複数回検出した明るさのデータの変化量が最小であるということと同義である。
【００１６】
検出終了後、演算装置１３は、ＥＶＲ１１を介してフリッカ量がＤｘｍｉｎとなる値Ｘに共通電極電位の値を調整し、この値ＸをＬＣＤ１０の不揮発性メモリ（図示せず）に記録する。このように人間の目に近い、安価な可視光センサ１２を用いることで、光電変換素子などの特別な素子を用いることなく、フリッカの周波数に関わらず共通電極電位の調整を行うことができる。また、単純な計算式でフリッカ量を求めることができる。さらに、フリッカ量が最小となった時点で検出を終了させるので、調整時間を短縮させることができる。
【００１７】
【発明の効果】
以上のように、本発明の液晶表示器の共通電極電位調整装置によれば、共通電極電位の値を一定間隔で変化させる電位値調節手段と、変化させた共通電極電位の値毎に、液晶表示器の表示画面に映し出される画像の明るさを複数回検出する可視光センサと、複数回検出した明るさのデータからフリッカ量を求める演算手段とからなり、フリッカ量が最小となった時点で可視光センサによる検出を終了させるので、装置のコストダウンに寄与するとともに、簡単にフリッカが最小となる共通電極電位を求めることができる。
【図面の簡単な説明】
【図１】本発明の共通電極電位調整装置の概略構成を示す図である。
【図２】共通電極電位の値に対する可視光センサの出力の関係を示すグラフである。
【図３】共通電極電位の値に対するフリッカ量の関係を示すグラフである。
【符号の説明】
２  共通電極電位調整装置
１０  液晶表示器（ＬＣＤ）
１１  電子ボリューム（ＥＶＲ）
１２  可視光センサ
１３  演算装置
【図１】
2004191588.tif 000003
【図２】
2004191588.tif 000004
【図３】
2004191588.tif 000005